(57)【要約】【課題】誤って、ペン先突出状態でポケットに差したり、ポケットに差した状態でペン先突出操作を行なったりしても、ポケットの底部をインキで汚すことを十分に回避できる出没式筆記具を提供する。【解決手段】軸筒２の後部外面にクリップ３を備える。軸筒２内にレフィル４を前後動可能に収容する。レフィル４のペン先５を軸筒２の前端孔２１より出没自在に構成する。ペン先没入時の軸方向の全長Ｌ２が１３０ｍｍ以上であり、軸筒２の最大外径Ｃが９ｍｍ以上である。クリップ３の基部３２前端からペン先突出状態のペン先５前端までの距離Ｌ１を１２５ｍｍ未満に設定する。前端孔２１の内径Ａに対するペン先没入時のペン先５前端から軸筒２前端までの軸方向の距離Ｂの比（Ｂ／Ａ）を０．６５以上に設定する。【選択図】  図１
2008093962.tif 000002
【特許請求の範囲】
【請求項１】
軸筒の後部外面にクリップを備え、前記軸筒内にレフィルを前後動可能に収容し、前記レフィルのペン先を軸筒の前端孔より出没自在に構成した出没式筆記具であって、
前記クリップの基部前端からペン先突出状態のペン先前端までの距離を１２５ｍｍ未満に設定したことを特徴とする出没式筆記具。
【請求項２】
軸筒の後部外面にクリップを備え、前記軸筒内にレフィルを前後動可能に収容し、前記レフィルのペン先を軸筒の前端孔より出没自在に構成した出没式筆記具であって、
ペン先没入時の軸方向の全長が１３０ｍｍ以上であり且つ軸筒の最大外径が９ｍｍ以上であり、前記クリップの基部前端からペン先突出状態のペン先前端までの距離を１２５ｍｍ未満に設定したことを特徴とする出没式筆記具。
【請求項３】
前端孔の内径に対するペン先没入時のペン先前端から軸筒前端までの軸方向の距離の比を０．６５以上に設定した請求項１または２記載の出没式筆記具。
【発明の詳細な説明】
【技術分野】
【０００１】
本発明は、出没式筆記具に関する。詳細には、軸筒の後部外面にクリップを備え、前記軸筒内にレフィルを前後動可能に収容し、前記レフィルのペン先を軸筒の前端孔より出没自在に構成した出没式筆記具に関する。
【背景技術】
【０００２】
従来この種の出没式筆記具に関し、ポケットに差した時にクリップが持ち上がってペン先突出状態が解除されるセーフティ機構を備えたものが知られている。（例えば、特許文献１）
【０００３】
【特許文献１】特開平９−１１８０９５号公報
【発明の開示】
【発明が解決しようとする課題】
【０００４】
ところが、前記特許文献１の出没式筆記具は、ワイシャツ等の衣類のポケットに差した状態で、誤って、ノック体を押圧すると、ペン先が突出され、その突出されたペン先がポケットの底部に接触し、ポケットの底部をインキで汚すおそれがある。
【０００５】
本発明は前記問題点を解決するものであって、誤って、ペン先突出状態でポケットに差したり、ポケットに差した状態でペン先突出操作を行なったりしても、ポケットの底部をインキで汚すことを十分に回避できる出没式筆記具を提供しようとするものである。
【課題を解決するための手段】
【０００６】
本願の第１の発明は、軸筒２の後部外面にクリップ３を備え、前記軸筒２内にレフィル４を前後動可能に収容し、前記レフィル４のペン先５を軸筒２の前端孔２１より出没自在に構成した出没式筆記具であって、前記クリップ３の基部３２前端からペン先突出状態のペン先５前端までの距離Ｌ１を１２５ｍｍ未満（好ましくは１２０ｍｍ未満）に設定したことを特徴とする。
【０００７】
前記第１の発明の出没式筆記具１は、誤って、ポケットにペン先突出状態で差したり、ポケットに差した状態でペン先突出操作を行なったりしても、ポケットの底部にペン先５が接触することを十分に防止でき、ポケットの底部をインキで汚すことを十分に回避できる。
【０００８】
本願の第２の発明は、軸筒２の後部外面にクリップ３を備え、前記軸筒２内にレフィル４を前後動可能に収容し、前記レフィル４のペン先５を軸筒２の前端孔２１より出没自在に構成した出没式筆記具であって、ペン先没入時の軸方向の全長Ｌ２が１３０ｍｍ以上であり且つ軸筒２の最大外径Ｃが９ｍｍ以上であり、前記クリップ３の基部３２前端からペン先突出状態のペン先５前端までの距離Ｌ１を１２５ｍｍ未満（好ましくは１２０ｍｍ未満）に設定したことを特徴とする。
【０００９】
前記第２の発明の出没式筆記具１は、誤って、ポケットにペン先突出状態で差したり、ポケットに差した状態でペン先突出操作を行なったりしても、ポケットの底部にペン先５が接触することを十分に防止でき、ポケットの底部をインキで汚すことを十分に回避できる。
【００１０】
本願の第３の発明は、前記第１の発明または第２の発明において、前端孔２１の内径Ａに対するペン先没入時のペン先５前端から軸筒２前端までの軸方向の距離Ｂの比（Ｂ／Ａ）を０．６５以上（即ちＢ／Ａ≧０．６５）に設定したことを特徴とする。
【００１１】
前記第３の発明の出没式筆記具１は、ポケット内の埃や糸クズ等がペン先５に付着することを、十分に防止できる。その結果、ペン先５の適正な筆記性能が得られるとともに、ペン先５に付着した埃や糸クズ等の毛細管力によりペン先５からインキが引き出され、ポケットの底部をインキで汚すことを十分に防止できる。尚、前記前端孔２１の内径Ａに対するペン先没入時のペン先５前端から軸筒２前端までの軸方向の距離Ｂの比（Ｂ／Ａ）は、ポケット内の埃や糸クズ等がペン先５に付着することを、確実に防止できる点で、０．８以上（即ちＢ／Ａ≧０．８）が好ましい。
【発明の効果】
【００１２】
本発明は、誤って、ペン先突出状態でポケットに差したり、ポケットに差した状態でペン先突出操作を行なったりしても、ポケットの底部をインキで汚すことを十分に回避できる。
【発明を実施するための最良の形態】
【００１３】
図１及び図２に本発明の出没式筆記具１の実施の形態を示す。
【００１４】
本実施の形態の出没式筆記具１は、軸筒２と、前記軸筒２内に前後方向に移動可能に収容されるレフィル４と、前記軸筒２内に収容され、前記レフィル４を後方に常時付勢するコイルスプリング６とからなる。
【００１５】
前記軸筒２の後端部には、出没機構が設けられる。前記出没機構は、軸筒２の後端より後方に突出するノック体７を、前方に押圧することにより、ペン先没入状態にあるレフィル４のペン先５を軸筒２の前端より突出状態にさせるノック機構である。さらに、本実施の形態では、ノック体７を前方に押圧することにより、ペン先突出状態からペン先没入状態にさせるダブルノック式のノック機構が採用される。
【００１６】
前記軸筒２の後部外面にはクリップ３が設けられる。前記クリップ３は、後端部が基部３２により軸筒２の外面に接続されるとともに、前端部内面にポケット等に挟持可能な玉部３１が突設される。前記クリップ３の基部３２前端からペン先突出状態のペン先５前端までの距離Ｌ１は、１１９ｍｍ（ミリメートル）に設定される。また、ペン先没入時の軸方向の全長Ｌ２は、１４２ｍｍ（ミリメートル）に設定される。また、軸筒２の最大外径Ｃは、１１ｍｍ（ミリメートル）に設定される。
【００１７】
前記軸筒２の前端には、前端孔２１が形成される。前記前端孔２１を通して、レフィル４のペン先５が軸筒２の外部に突出され且つ軸筒２の内部に没入される。前記前端孔２１の内径Ａは、２．５ｍｍに設定され、ペン先没入状態のペン先５前端から軸筒２前端までの距離Ｂは、２．５ｍｍに設定され、それにより、Ａに対するＢの比（Ｂ／Ａ）は、１に設定される。
【００１８】
前記レフィル４の内部には、インキ４１及び前記インキ４１の消費に伴って前進する追従体４２（高粘度流体）が充填される。前記インキ４１は、低粘度の水性インキが好ましい。具体的には、前記インキ４１は、２０℃における粘度が１ｍＰａ・ｓ〜５０ｍＰａ・ｓの範囲の水性インキ、または、Ｅ型回転粘度計による２０℃における回転数１００ｒｐｍでの粘度が３ｍＰａ・ｓ〜１６０ｍＰａ・ｓの範囲であり、且つ、剪断減粘性指数が０．８０〜０．９９の範囲の水性インキが挙げられる。
【００１９】
前記レフィル４の前端には、前記インキ４１が吐出可能なペン先５が設けられる。前記ペン先５は、前端に回転可能にボール５１が抱持されたボールペンチップが採用される。前記ペン先５の前端に回転可能に抱持されたボール５１は、レフィル４内部の弾発体５２により前方に常時付勢され、ペン先５前端の内向きのカシメ部に密接される。それにより、ペン先５前端からのインキ漏出が防止される。前記弾発体５２は、ボール５１の後面に接触し且つ前記ボール５１を前方に押圧するロッド部と、前記ロッド部の後方に一体に連設されるコイル部とからなる。尚、前記ペン先５は、これ以外にも、繊維加工体または多孔質体からなるペン体であってもよい。
【００２０】
本実施の形態の出没式筆記具１は、ペン先没入時の軸方向の全長Ｌ２が１３０ｍｍ以上であり且つ軸筒２の最大外径Ｃが９ｍｍ以上の通常のサイズのものであるため、ポケットの底部にペン先５が接触しやすくなり、ポケットのインキ汚れには不利である。また、本実施の形態の出没式筆記具１は、前記低粘度の水性インキを採用したため、衣類のポケットの底部に接触した際に、衣類の繊維の毛細管力によりペン先５からインキが引き出されやすく、ポケットのインキ汚れには不利である。
【００２１】
しかし、本実施の形態の出没式筆記具１は、前記Ｌ１を１２５ｍｍ未満（さらには１２０ｍｍ未満）に設定したことにより、誤って、ペン先突出状態でポケットに差したり、ポケットに差した状態でペン先突出操作を行なったりしても、ペン先５前端がポケットの底部に接触することを十分に防止でき、ポケットの底部をインキで汚すことを十分に回避できる。尚、市販のワイシャツ（日本製、米国製、英国製、イタリア製、フランス製、ドイツ製）のポケットについて調査したところ、ポケットの底部までの最大深さＨは１２５ｍｍ〜１５０ｍｍであった。（図３参照）
【００２２】
また、本実施の形態の出没式筆記具１は、前端孔２１の内径Ａに対するペン先没入時のペン先５前端から軸筒２前端までの軸方向の距離Ｂの比（Ｂ／Ａ）が、０．６５以上（さらには０．８以上）であることにより、ポケット内の埃や糸クズ等がペン先５に付着することを、十分に防止できる。その結果、ペン先５に埃や糸クズ等が付着して、ペン先５の筆記性能が低下したり、ペン先５のボール５１と内向きのカシメ部とのシール性が低下し、ペン先５からインキが漏出しやすくなったり、あるいは、前記ペン先５に付着した埃や糸クズ等の毛細管力によりペン先５からインキが引き出され、ポケットの底部をインキで汚したりすることを回避できる。
【００２３】
また、本実施の形態の出没式筆記具１は、ポケットに差した時にクリップ３が持ち上がってペン先突出状態が解除されるセーフティ機構を備えないため、構造がシンプルとなり、安価に提供できる。
【図面の簡単な説明】
【００２４】
【図１】本発明の実施の形態のペン先突出状態を示す一部切欠縦断面図である。
【図２】図１のペン先没入状態を示す一部切欠縦断面図である。
【図３】本発明の実施の形態の出没式筆記具をペン先突出させてポケットに差した状態を示す正面図である。２点鎖線はポケットを示す。
【符号の説明】
【００２５】
１  出没式筆記具
２  軸筒
２１  前端孔
３  クリップ
３１  玉部
３２  基部
４  レフィル
４１  インキ
４２  追従体
５  ペン先
５１  ボール
５２  弾発体
６  コイルスプリング
７  ノック体
Ｌ１  クリップの基部前端からペン先突出状態のペン先前端までの距離
Ｌ２  ペン先没入時の軸方向の全長
Ａ  前端孔の内径
Ｂ  ペン先没入時のペン先前端から軸筒前端までの軸方向の距離
Ｃ  軸筒の最大外径
Ｈ  ポケットの最大深さ
【図１】
2008093962.tif 000003
【図２】
2008093962.tif 000004
【図３】
2008093962.tif 000005